(57)【要約】【課題】  この発明は、番組に係る映像信号を受信して録画手段に録画する番組録画装置において、特定番組と一般番組の両方を録画可能としつつ、特定番組を一般番組とは区別し、特定の人以外には見せないようにすることを目的とする。【解決手段】  番組録画を指示する番組録画指示手段（１０２）と、前記番組録画指示に応じて、前記録画番組再生に係る認証情報が入力されたか否かを判断する認証情報入力判断手段（１０３）と、前記録画番組再生に係る認証情報が入力されたと判断された場合は、前記認証情報を前記録画番組と関連付けて記憶し（１０４）、前記指示された番組の録画を行う番組録画手段（１０６）を備えるように構成している。【選択図】      図５
2008271469.tif 000002
【特許請求の範囲】
【請求項１】
番組に係る映像信号を受信して録画手段に録画する番組録画装置において、
番組録画を指示する番組録画指示手段と、
前記番組録画指示に応じて、前記録画番組再生に係る認証情報が入力されたか否かを判断する認証情報入力判断手段と、
前記録画番組再生に係る認証情報が入力されたと判断された場合は、前記認証情報を前記録画番組と関連付けて記憶し、前記指示された番組の録画を行う番組録画手段を備えることを特徴とする番組録画装置。
【請求項２】
認証情報が録画番組と関連付けられて録画された番組を再生する番組録画装置において、
録画番組の再生指示に応じて、録画番組再生に係る認証情報が入力されたか否かを判断する認証情報判断手段と、
前記録画番組再生に係る認証情報が入力されたと判断された場合は、前記認証情報が関連付けられた録画番組に係る認証番組リストを表示する認証番組リスト表示手段を備えることを特徴とする番組録画装置。
【請求項３】
認証情報が録画番組と関連付けられて録画された番組を再生する番組録画装置において、
録画された番組に係り、認証情報が関連付けられていない録画番組に係る番組リストを表示する番組リスト表示手段と、
録画番組の再生指示に応じて、録画番組再生に係る認証情報が入力されたか否かを判断する認証情報判断手段と、
前記録画番組再生に係る認証情報が入力されたと判断された場合は、前記認証情報が関連付けられた録画番組に係る認証番組リストを表示する認証番組リスト表示手段を備えることを特徴とする番組録画装置。
【請求項４】
番組に係る映像信号を受信し、認証情報が関連付けられて録画手段に録画された番組を再生する番組録画装置において、
番組録画を指示する番組録画指示手段と、
前記番組録画指示に応じて、前記録画番組再生に係る認証情報が入力されたか否かを判断する認証情報入力判断手段と、
前記録画番組再生に係る認証情報が入力されたと判断された場合は、前記認証情報を前記録画番組と関連付けて記憶し、前記指示された番組の録画を行う番組録画手段と、
録画番組の再生指示に応じて、録画番組再生に係る認証情報が入力されたか否かを判断する認証情報判断手段と、
前記録画番組再生に係る認証情報が入力されたと判断された場合は、前記認証情報が関連付けられた録画番組に係る認証番組リストを表示する認証番組リスト表示手段を備えることを特徴とする番組録画装置。
【請求項５】
前記認証情報はパスワード、ＢＣＡＳカードのカード番号、電話番号、リモコンキーのいずれかが用いられることを特徴とする請求項１乃至４に記載の番組録画装置。
【請求項６】
番組録画を指示するステップと、
前記番組録画指示に応じて、前記録画番組再生に係る認証情報が入力されたか否かを判断するステップと、
前記録画番組再生に係る認証情報が入力されたと判断された場合は、前記認証情報を前記録画番組と関連付けて記憶し、前記指示された番組の録画を行うステップを備えることを特徴とする番組録画方法。
【請求項７】
認証情報が録画番組と関連付けられて録画された番組を再生する番組録画方法において、
録画番組の再生指示に応じて、録画番組再生に係る認証情報が入力されたか否かを判断するステップと、
前記録画番組再生に係る認証情報が入力されたと判断された場合は、前記認証情報が関連付けられた録画番組に係る認証番組リストを表示するステップを備えることを特徴とする番組録画方法。
【発明の詳細な説明】
【技術分野】
【０００１】
この発明は、例えばテレビジョン放送等で放送される番組を受信し、録画手段に録画する番組録画装置に関する。また、この発明は、認証情報を録画番組と関連付けて記憶し、番組録画を行う番組録画装置に関する。
【背景技術】
【０００２】
近年では、テレビジョン放送のデジタル化が普及している。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置においては、例えば、ユーザが設定したジャンルやキーワード等に基づいて放送番組を自動記録しておき、その記録された番組の中からユーザが必要な番組を選択して視聴することができる機能を有するものが出現している。
【０００４】
この場合、放送番組を記録再生するための記録再生装置としては、多数の番組を記録（録画）することができる大記録容量が求められるとともに、録画した番組の中から所望の番組を迅速に検索して再生することができるアクセス性能が求められることから、録画媒体（記憶媒体）としてＨＤＤ（hard disk drive）が採用されている。
【０００５】
ところで、このようにして録画された番組の中には、特定の個人に限り番組視聴を許可するようにしたい特定の録画番組（特定番組）と、他の人が視聴しても構わない一般の録画番組（一般番組）がある。そこで、特定番組を一般番組とは区別し、特定の人以外には見せないようにしたいという要求があった。
【０００６】
特許文献１には、ユーザの認証作業を自動的に行い、ユーザ毎に録画再生管理が可能な録画再生装置が開示されている。しかしながら、特許文献１に開示された技術ではユーザ毎に録画番組を管理することは可能であるが、特定番組と一般番組の両方を録画可能としつつ、特定番組を一般番組とは区別し、特定の人以外には見せないようにすることができないという問題があった。
【特許文献１】特開２００６−９４１１４号
【発明の開示】
【発明が解決しようとする課題】
【０００７】
そこで、この発明は上記事情を考慮してなされたもので、特定番組と一般番組の両方を録画可能としつつ、特定番組を一般番組とは区別し、特定の人以外には見せないようにすることを目的としている。
【課題を解決するための手段】
【０００８】
この発明に係る番組録画装置は、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段を備えるように構成している。
【０００９】
また、この発明に係る番組録画装置は、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えるように構成している。
【００１０】
また、この発明に係る番組録画装置は、録画された番組に係り、認証情報が関連付けられていない録画番組に係る番組リストを表示する番組リスト表示手段と、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えるように構成している。
【００１１】
また、この発明に係る番組録画装置は、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段と、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えるように構成している。
【００１２】
また、この発明に係る番組録画方法は、番組録画を指示するステップと、前記番組録画指示に応じて、前記録画番組再生に係る認証情報が入力されたか否かを判断するステップと、前記録画番組再生に係る認証情報が入力されたと判断された場合は、前記認証情報を前記録画番組と関連付けて記憶し、前記指示された番組の録画を行うステップを備えるように構成している。
【００１３】
また、この発明に係る番組録画方法は、録画番組の再生指示に応じて、録画番組再生に係る認証情報が入力されたか否かを判断するステップと、前記録画番組再生に係る認証情報が入力されたと判断された場合は、前記認証情報が関連付けられた録画番組に係る認証番組リストを表示するステップを備えるように構成している。
【発明の効果】
【００１４】
上記のように構成することによって、特定の個人に限り番組視聴を許可するようにした特定の録画番組（特定番組）と、他の人が視聴しても構わない一般の録画番組（一般番組）の両方が録画再生可能となるという効果がある。また、特定番組を一般番組とは区別し、特定の人以外には見せないようにすることが可能になるという効果がある。
【発明を実施するための最良の形態】
【００１５】
以下、この発明の実施の形態について図面を参照して詳細に説明する。
図１は、この発明の実施の形態に係る録画装置（テレビジョン放送受信装置）を説明するために示す外観図である。
テレビジョン放送受信装置１１は、主として、装置本体となるほぼ四角形状に形成された薄型のキャビネット１２と、このキャビネット１２を起立させて支持するスタンド１３とから構成されている。
【００１６】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１７】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１８】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１９】
図２はこの発明の実施の形態に係る録画装置（テレビジョン放送受信装置）の信号処理系を説明するために示すブロック構成図である。テレビジョン放送受信装置１１の信号処理系を概略的に示している。
【００２０】
この信号処理系を構成する各種の回路ブロックは、主として、上記キャビネット１２の内部で背面に近い位置、つまり、上記映像表示器１４の表示画面１４ａの裏側あたりに配置されている。
【００２１】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００２２】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２３】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２４】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２５】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。
【００２６】
この場合、制御部３５は、メモリ部３６を使用している。このメモリ部３６は、そのＣＰＵが実行する制御プログラムを格納したＲＯＭ（read only memory）と、該ＣＰＵに作業エリアを提供するためのＲＡＭ（random access memory）を備えている。また、録画番組再生に係る認証情報が入力された場合に、この認証情報を録画番組と関連付けて記憶する不揮発性メモリを備えている。
【００２７】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２８】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２９】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００３０】
図３は、この発明の実施の形態に係る録画装置（テレビジョン放送受信装置）のスタンドを背面側から見た状態を説明するために示す斜視図である。スタンド１３を背面側から見た状態を示している。
【００３１】
スタンド１３は、ほぼ薄型の箱状に形成されており、その背面板１３ｃから上面板１３ｂのほぼ中央部にかけての大部分が連続的に開口されることにより、着脱用口１３ｄが形成されている。この着脱用口１３ｄは、図示しない蓋体によって閉塞することが可能である。
【００３２】
このスタンド１３の底面板１３ａのほぼ中央部には、円筒形状の支持柱体４１が垂直に突設されている。この支持柱体４１は、その先端部が上面板１３ｂに形成された着脱用口１３ｄを介して、上面板１３ｂよりも上方に突出されている。そして、この支持柱体４１の先端部に、上記キャビネット１２と連結される支持部材１９が取着されている。
【００３３】
また、スタンド１３は、その内部の大部分が空洞になっており、上記ＨＤＤユニット２０を収容可能な収容部４２となっている。この場合、ＨＤＤユニット２０は、スタンド１３の外部より、スタンド１３の背面側の着脱用口１３ｄから底面板１３ａに沿うように挿入されることによって、スタンド１３内部に収容される。また、スタンド１３内部に収容されたＨＤＤユニット２０は、スタンド１３の背面側の着脱用口１３ｄから底面板１３ａに沿うようにして、スタンド１３の外部に取り出すことができる。
【００３４】
すなわち、ＨＤＤユニット２０は、スタンド１３内に収容されて映像及び音声信号の記録再生を行なえるとともに、スタンド１３に対して着脱が可能なように、つまり、交換が可能となるように構成されている。
【００３５】
図４はこの発明の第１の実施の形態に係る録画装置（テレビジョン放送受信装置）の構成を示すブロック図である。
ここでは録画装置（テレビジョン放送受信装置）は、デジタル放送受信系であるデジタルTVユニット１２と録画系であるHDDユニット１３を備えている。また、HDDユニット１３は記憶媒体としてHDDを備えている。
【００３６】
図５は、この発明の第１の実施の形態に係る録画動作を説明するフローチャートである。
符号１０１はここでの開始ステップである。続いて符合１０２を付したステップへ進む。
符号１０２はユーザが図示しないリモコンを用いて録画装置（テレビジョン放送受信装置）を操作し、番組を録画予約するステップである（番組録画指示手段）。続いて符合１０３を付したステップへ進む。
【００３７】
符号１０３は前記予約された番組録画指示に応じて、録画番組再生に係る認証情報が入力されたか否かを判断するステップである（認証情報入力判断手段）。ここでは認証情報の一例としてパスワードが用いられる。認証情報（パスワード）が入力されたと判断された場合は保護モードすなわち、符号１０４を付したステップへ進む（Yes）。認証情報（パスワード）が入力されたと判断されない場合は通常モードすなわち、符号１０５を付したステップへ進む（No）。
【００３８】
符号１０４は上記認証情報（パスワード）をコンテンツ情報（番組情報）と関連付けてメモリ３６へ記憶するステップである。続いて符号１０５を付したステップへ進む。
【００３９】
符号１０５はユーザに入力された録画予約を設定するステップである。続いて符合１０６を付したステップへ進む。
符号１０６は上記予約された録画を実行するステップである。続いて符合１０７を付したステップへ進む。
符号１０７は終了ステップであり、ここでの処理は終了する。
上述したように、この発明は、番組録画装置に関し、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段を備えている。
【００４０】
図６はこの発明の第１の実施の形態に係る再生動作を説明するフローチャートである。
符号１１１はここでの開始ステップである。続いて符合１１２を付したステップへ進む。
符号１１２はユーザが図示しないリモコンを用いて録画装置（テレビジョン放送受信装置）を操作し、録画番組を再生するステップである。続いて符合１１３を付したステップへ進む。
【００４１】
符号１１３は録画番組に関する録画リストを作成するステップである。続いて符合１１４を付したステップへ進む。
符号１１４は上記作成された録画リストを表示するステップである。続いて符合１１５を付したステップへ進む。
符号１１５は録画番組再生に係る認証情報が入力されたか否かを判断するステップである（認証情報判断手段）。ここでは認証情報の一例としてパスワードが用いられる。認証情報（パスワード）が入力されたと判断された場合は保護モードすなわち、符号１１６を付したステップへ進む（Yes）。認証情報（パスワード）が入力されたと判断されない場合は通常モードすなわち、符号１１７を付したステップへ進む（No）。
【００４２】
符号１１６は上記認証情報（パスワード）に応じて認証情報で保護された録画番組をリスト表示するステップである。続いて符号１１７を付したステップへ進む。
符号１１７はユーザによってリストから選択された録画番組を再生するステップである。続いて符合１１８を付したステップへ進む。
符号１１８は終了ステップであり、ここでの処理は終了する。
上述したように、この発明は、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えている。
【００４３】
図７はこの発明の第２の実施の形態に係る録画装置（テレビジョン放送受信装置）の構成を示すブロック図である。
上記と同様、録画装置（テレビジョン放送受信装置）は、デジタル放送受信系であるデジタルTVユニット１２と録画系であるHDDユニット１３を備え、HDDユニット１３は記憶媒体としてHDDを備えている。また、ここでは認証情報としてBCASカード５０が用いられる。
【００４４】
図８は、この発明の第２の実施の形態に係る録画動作を説明するフローチャートである。
符号２０１はここでの開始ステップである。続いて符合２０２を付したステップへ進む。
符号２０２はユーザが図示しないリモコンを用いて録画装置（テレビジョン放送受信装置）を操作し、番組を録画予約するステップである（番組録画指示手段）。続いて符合２０３を付したステップへ進む。
【００４５】
符号２０３は前記予約された番組録画指示に応じて、録画番組再生に係る認証情報が入力されたか否かを判断するステップである（認証情報入力判断手段）。ここでは認証情報の一例としてBCASカード５０が用いられる。認証情報（BCASカード５０）が入力されたと判断された場合は保護モードすなわち、符号２０４を付したステップへ進む（Yes）。認証情報（BCASカード５０）が入力されたと判断されない場合は通常モードすなわち、符号２０５を付したステップへ進む（No）。
【００４６】
符号２０４は上記認証情報（BCASカード５０）をコンテンツ情報（番組情報）と関連付けてメモリ３６へ記憶するステップである。続いて符号２０５を付したステップへ進む。
【００４７】
符号２０５はユーザに入力された録画予約を設定するステップである。続いて符合２０６を付したステップへ進む。
符号２０６は上記予約された録画を実行するステップである。続いて符合２０７を付したステップへ進む。
符号２０７は終了ステップであり、ここでの処理は終了する。
上述したように、この発明は、番組録画装置に関し、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段を備えている。
【００４８】
図９はこの発明の第２の実施の形態に係る再生動作を説明するフローチャートである。
符号２１１はここでの開始ステップである。続いて符合２１２を付したステップへ進む。
符号２１２はユーザが図示しないリモコンを用いて録画装置（テレビジョン放送受信装置）を操作し、録画番組を再生するステップである。続いて符合２１３を付したステップへ進む。
【００４９】
符号２１３は録画番組に関する録画リストを作成するステップである。続いて符合２１４を付したステップへ進む。
符号２１４は上記作成された録画リストを表示するステップである。続いて符合２１５を付したステップへ進む。
符号２１５は録画番組再生に係る認証情報が入力されたか否かを判断するステップである（認証情報判断手段）。ここでは認証情報の一例としてBCASカード５０が用いられる。認証情報（BCASカード５０）が入力されたと判断された場合は保護モードすなわち、符号２１６を付したステップへ進む（Yes）。認証情報（BCASカード５０）が入力されたと判断されない場合は通常モードすなわち、符号２１７を付したステップへ進む（No）。
【００５０】
符号２１６は上記認証情報（BCASカード５０）に応じて認証情報で保護された録画番組をリスト表示するステップである。続いて符号２１７を付したステップへ進む。
【００５１】
符号２１７はユーザによってリストから選択された録画番組を再生するステップである。続いて符合２１８を付したステップへ進む。
符号２１８は終了ステップであり、ここでの処理は終了する。
上述したように、この発明は、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えている。
【００５２】
図１０はこの発明の第３の実施の形態に係る録画装置（テレビジョン放送受信装置）の構成を示すブロック図である。
上記と同様、録画装置（テレビジョン放送受信装置）は、デジタル放送受信系であるデジタルTVユニット１２と録画系であるHDDユニット１３を備え、HDDユニット１３は記憶媒体としてHDDを備えている。また、ここでは認証情報として携帯電話６０が用いられる。尚、携帯電話６０はクレードル６１を介して録画装置（テレビジョン放送受信装置）と接続している。
【００５３】
図１１は、この発明の第３の実施の形態に係る録画動作を説明するフローチャートである。
符号３０１はここでの開始ステップである。続いて符合３０２を付したステップへ進む。
符号３０２はユーザが図示しないリモコンを用いて録画装置（テレビジョン放送受信装置）を操作し、番組を録画予約するステップである（番組録画指示手段）。続いて符合３０３を付したステップへ進む。
【００５４】
符号３０３は前記予約された番組録画指示に応じて、録画番組再生に係る認証情報が入力されたか否かを判断するステップである（認証情報入力判断手段）。ここでは認証情報の一例として携帯電話６０が用いられる。認証情報（携帯電話６０）が入力（携帯電話６０がクレードル６１に装着）されたと判断された場合は保護モードすなわち、符号３０４を付したステップへ進む（Yes）。認証情報（携帯電話６０）が入力されたと判断されない場合は通常モードすなわち、符号３０５を付したステップへ進む（No）。
【００５５】
符号３０４は上記認証情報（携帯電話６０）をコンテンツ情報（番組情報）と関連付けてメモリ３６へ記憶するステップである。続いて符号３０５を付したステップへ進む。
【００５６】
符号３０５はユーザに入力された録画予約を設定するステップである。続いて符合３０６を付したステップへ進む。
符号３０６は上記予約された録画を実行するステップである。続いて符合３０７を付したステップへ進む。
符号３０７は終了ステップであり、ここでの処理は終了する。
上述したように、この発明は、番組録画装置に関し、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段を備えている。
【００５７】
図１２はこの発明の第３の実施の形態に係る再生動作を説明するフローチャートである。
符号３１１はここでの開始ステップである。続いて符合３１２を付したステップへ進む。
符号３１２はユーザが図示しないリモコンを用いて録画装置（テレビジョン放送受信装置）を操作し、録画番組を再生するステップである。続いて符合３１３を付したステップへ進む。
【００５８】
符号３１３は録画番組に関する録画リストを作成するステップである。続いて符合３１４を付したステップへ進む。
符号３１４は上記作成された録画リストを表示するステップである。続いて符合３１５を付したステップへ進む。
符号３１５は録画番組再生に係る認証情報が入力されたか否かを判断するステップである（認証情報判断手段）。ここでは認証情報の一例として携帯電話６０が用いられる。認証情報（携帯電話６０）が入力されたと判断された場合は保護モードすなわち、符号３１６を付したステップへ進む（Yes）。認証情報（携帯電話６０）が入力されたと判断されない場合は通常モードすなわち、符号３１７を付したステップへ進む（No）。
【００５９】
符号３１６は上記認証情報（携帯電話６０）に応じて認証情報で保護された録画番組をリスト表示するステップである。続いて符号３１７を付したステップへ進む。
符号３１７はユーザによってリストから選択された録画番組を再生するステップである。続いて符合３１８を付したステップへ進む。
符号３１８は終了ステップであり、ここでの処理は終了する。
上述したように、この発明は、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えている。
【００６０】
図１３はこの発明の第４の実施の形態に係る録画装置（テレビジョン放送受信装置）の構成を示すブロック図である。
上記と同様、録画装置（テレビジョン放送受信装置）は、デジタル放送受信系であるデジタルTVユニット１２と録画系であるHDDユニット１３を備え、HDDユニット１３は記憶媒体としてHDDを備えている。また、ここでは認証情報としてリモコン７０が用いられる。
【００６１】
図１４は、この発明の第４の実施の形態に係る録画動作を説明するフローチャートである。
符号４０１はここでの開始ステップである。続いて符合４０２を付したステップへ進む。
符号４０２はユーザが図示しないリモコンを用いて録画装置（テレビジョン放送受信装置）を操作し、番組を録画予約するステップである（番組録画指示手段）。続いて符合４０３を付したステップへ進む。
【００６２】
符号４０３は前記予約された番組録画指示に応じて、録画番組再生に係る認証情報が入力されたか否かを判断するステップである（認証情報入力判断手段）。ここでは認証情報の一例としてリモコン７０が用いられる。認証情報（リモコン７０）が入力されたと判断された場合は保護モードすなわち、符号４０４を付したステップへ進む（Yes）。認証情報（リモコン７０）が入力されたと判断されない場合は通常モードすなわち、符号４０５を付したステップへ進む（No）。
【００６３】
符号４０４は上記認証情報（リモコン７０）をコンテンツ情報（番組情報）と関連付けてメモリ３６へ記憶するステップである。続いて符号４０５を付したステップへ進む。
【００６４】
符号４０５はユーザに入力された録画予約を設定するステップである。続いて符合４０６を付したステップへ進む。
符号４０６は上記予約された録画を実行するステップである。続いて符合４０７を付したステップへ進む。
符号４０７は終了ステップであり、ここでの処理は終了する。
上述したように、この発明は、番組録画装置に関し、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段を備えている。
【００６５】
図１５はこの発明の第４の実施の形態に係る再生動作を説明するフローチャートである。
符号４１１はここでの開始ステップである。続いて符合４１２を付したステップへ進む。
符号４１２はユーザが図示しないリモコンを用いて録画装置（テレビジョン放送受信装置）を操作し、録画番組を再生するステップである。続いて符合４１３を付したステップへ進む。
【００６６】
符号４１３は録画番組に関する録画リストを作成するステップである。続いて符合４１４を付したステップへ進む。
符号４１４は上記作成された録画リストを表示するステップである。続いて符合４１５を付したステップへ進む。
符号４１５は録画番組再生に係る認証情報が入力されたか否かを判断するステップである（認証情報判断手段）。ここでは認証情報の一例としてリモコン７０が用いられる。認証情報（リモコン７０）が入力されたと判断された場合は保護モードすなわち、符号４１６を付したステップへ進む（Yes）。認証情報（リモコン７０）が入力されたと判断されない場合は通常モードすなわち、符号４１７を付したステップへ進む（No）。
【００６７】
符号４１６は上記認証情報（リモコン７０）に応じて認証情報で保護された録画番組をリスト表示するステップである。続いて符号４１７を付したステップへ進む。
符号４１７はユーザによってリストから選択された録画番組を再生するステップである。続いて符合４１８を付したステップへ進む。
符号４１８は終了ステップであり、ここでの処理は終了する。
上述したように、この発明は、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えている。
【００６８】
すなわちこの発明の実施の形態に係る番組録画装置は、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段を備えるように構成している。
【００６９】
また、この発明の実施の形態に係る番組録画装置は、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えるように構成している。
【００７０】
また、この発明の実施の形態に係る番組録画装置は、録画された番組に係り、認証情報が関連付けられていない録画番組に係る番組リストを表示する番組リスト表示手段と、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えるように構成している。
【００７１】
また、この発明の実施の形態に係る番組録画装置は、番組録画を指示する番組録画指示手段と、前記番組録画指示に応じて、前記録画番組再生に係る認証情報が入力されたか否かを判断する認証情報入力判断手段と、前記録画番組再生に係る認証情報が入力されたと判断された場合は、前記認証情報を前記録画番組と関連付けて記憶し、前記指示された番組の録画を行う番組録画手段と、録画番組の再生指示に応じて、録画番組再生に係る認証情報が入力されたか否かを判断する認証情報判断手段と、前記録画番組再生に係る認証情報が入力されたと判断された場合は、前記認証情報が関連付けられた録画番組に係る認証番組リストを表示する認証番組リスト表示手段を備えるように構成している。
【００７２】
上記のように構成することによって、認証情報を前記録画番組と関連付けて記憶し、特定の個人に限り番組視聴を許可するようにした特定の録画番組（特定番組）と、他の人が視聴しても構わない一般の録画番組（一般番組）の両方が録画再生可能となるという効果がある。また、特定番組を一般番組とは区別し、特定の人以外には見せないようにすることが可能になるという効果がある。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７４】
【図１】この発明の実施の形態に係る録画装置（テレビジョン放送受信装置）を説明するために示す外観図。
【図２】この発明の実施の形態に係る録画装置（テレビジョン放送受信装置）の信号処理系を説明するために示すブロック構成図。
【図３】この発明の実施の形態に係る録画装置（テレビジョン放送受信装置）のスタンドを背面側から見た状態を説明するために示す斜視図。
【図４】この発明の第１の実施の形態に係る録画装置（テレビジョン放送受信装置）の構成を示すブロック図。
【図５】この発明の第１の実施の形態に係る録画動作を説明するフローチャート。
【図６】この発明の第１の実施の形態に係る再生動作を説明するフローチャート。
【図７】この発明の第２の実施の形態に係る録画装置（テレビジョン放送受信装置）の構成を示すブロック図。
【図８】この発明の第２の実施の形態に係る録画動作を説明するフローチャート。
【図９】この発明の第２の実施の形態に係る再生動作を説明するフローチャート
【図１０】この発明の第３の実施の形態に係る録画装置（テレビジョン放送受信装置）の構成を示すブロック図。
【図１１】この発明の第３の実施の形態に係る録画動作を説明するフローチャート。
【図１２】この発明の第３の実施の形態に係る再生動作を説明するフローチャート
【図１３】この発明の第４の実施の形態に係る録画装置（テレビジョン放送受信装置）の構成を示すブロック図。
【図１４】この発明の第４の実施の形態に係る録画動作を説明するフローチャート。
【図１５】この発明の第４の実施の形態に係る再生動作を説明するフローチャート
【符号の説明】
【００７５】
１１…テレビジョン放送受信装置、１２…キャビネット、１３…スタンド、１４…映像表示器（映像表示部、開始映像表示手段）、１５…スピーカ、１６…操作部、１７…リモートコントローラ、１８…受光部、１９…支持部材、２０…ＨＤＤユニット（記録手段）、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部（画質調整開始指示検出手段、画質調整終了指示検出手段）、３６…メモリ部（認証情報記憶部）、３７…ライン、３８…接続部、３９…ライン、４０…ｉ．Link接続部、４１…支持柱体、４２…収容部
【図１】
2008271469.tif 000003
【図２】
2008271469.tif 000004
【図３】
2008271469.tif 000005
【図４】
2008271469.tif 000006
【図５】
2008271469.tif 000007
【図６】
2008271469.tif 000008
【図７】
2008271469.tif 000009
【図８】
2008271469.tif 000010
【図９】
2008271469.tif 000011
【図１０】
2008271469.tif 000012
【図１１】
2008271469.tif 000013
【図１２】
2008271469.tif 000014
【図１３】
2008271469.tif 000015
【図１４】
2008271469.tif 000016
【図１５】
2008271469.tif 000017